(57)【要約】【課題】手指に筋力低下や麻痺等の機能障害があるため、自力で筆記具や補助具を把持することが困難な場合でも、容易に装着して自然な筆記感覚で安定した運筆が可能になるとともに、胴体幅の異なる汎用の筆記具が容易に装着可能になる筆記補助具を提供する。【解決手段】二つの開口を有する中央近傍で下方に屈曲した指挿入部１０と、指挿入部１０の両長側面に対向して配置した一対の帯状の押し当て部２０と、指挿入部１０と押し当て部２０とを繋ぐ連結部１５とを有する筆記補助具であって、指挿入部１０は両長側面の各々に一対の凸状の突き当て部１４を有し、押し当て部２０は中央近傍で上方に屈曲し、押し当て部２０は前方の内側面に引掛け部２１を有し、押し当て部２０は先端近傍に支点部２２を有するようにする。【選択図】図１
2018176479.tif 000002
【特許請求の範囲】
【請求項１】
二つの開口を有する中央近傍で下方に屈曲した指挿入部と、前記指挿入部の両長側面に対向して配置した一対の帯状の押し当て部と、前記指挿入部と前記押し当て部とを繋ぐ連結部とを有する筆記補助具であって、前記指挿入部は両長側面の各々に一対の凸状の突き当て部を有し、前記押し当て部は中央近傍で上方に屈曲し、前記押し当て部は前方の内側面に引掛け部を有し、前記押し当て部は先端近傍に支点部を有することを特徴とする筆記補助具。
【発明の詳細な説明】
【技術分野】
【０００１】
本発明は、手指の筋力低下や機能障害を伴う人が、鉛筆・ボールペン等の汎用の筆記具を用いて、自然な筆記感覚で運筆することを補助する筆記補助具に関するものである。
【背景技術】
【０００２】
今日、パソコン、スマートホン、ＡＴＭ等の情報端末を使用した入力が日常生活の多くの場面で見られる一方、手紙、日記、申請書類等への手書きによる筆記が必要な場面も多々ある。従って、手書きは手指の筋力低下や機能障害を伴う人には大きな負担になるため、日常生活の質（ＱＯＬ）を左右する重要な要素となっている。このような障害を持つ人々のＱＯＬ向上の観点からも、手書きをサポートする様々な筆記補助具が提案されている。
【０００３】
特許文献１に、手指の把持力が弱い場合の筆記補助具として、筆記具に専用の留め具（取付環）を取り付け、留め具にベルト引掛け、このベルトに掌や指を通して使用するものが開示されている。この方法は筆記具を自力で握る操作が求められるが、筆記感覚が自然で軽量なものになる。しかし筆記具を手指に固定するのに手間がかかることや、筆記具を自力で握る必要があるため把持が難しい場合には使用が困難になるという欠点がある。また胴体幅の異なる汎用の筆記具の固定には専用の留め具を必要とする欠点がある。
【０００４】
特許文献２には、連通孔に筆記具を挿入して固定する本体部と、本体部に設けた台車部（スライド手段）とからなり、本体部を握り手として把持する筆記補助具が開示されている。この補助具は本体部の握り手が太いため、筆記具を直接把持する必要がなく、回転球体を底部に備えた台車部により安定した操作が可能になる。さらに足指を使用した筆記が可能となる点も優れている。しかし、握り手を自力で把持する力が弱い場合には安定した使用が困難になる欠点があり、使用形態は自然な筆記感覚とは異質なものになっている。また胴体幅の異なる汎用の筆記具を装着するには、筆記具を連通孔に挿入し固定ネジで留める操作が必要である。
【０００５】
特許文献３には、一本の手指に装着する装着部と、装着部の両長側面に間隔を開けて配置した押板部とからなる把持補助具が開示されている。この補助具は手指の筋力低下や機能障害を伴う人に対して、器具の把持を支援する補助具として優れている。しかし、スプーン、フォーク等を指に安定して装着することを主眼とするもので、胴体幅の異なる汎用の筆記具を装着し、筆記操作をする筆記用の補助具として使用することは困難である。
【０００６】
特許文献４には、手指の示指と中指とを挿入する二つの開口を有する基体と、ペンを固定するペンホルダー部とからなる筆記補助具が開示されている。この補助具は軽く、自力で補助具を保持する必要がなく、また使用方法がより自然な筆記形態である点等が優れている。しかし、筆記時の補助具の搖動を防ぐために示指と中指とが基体に拘束されている。このため運筆のコントロールに習熟が必要となり、またペンホルダー部の詳細は開示されず、図示されているペンホルダー部では、使用可能な汎用の筆記具が限定されるという欠点がある。
【先行技術文献】
【特許文献】
【０００７】
【特許文献１】特開２００２−３６２０９１号公報
【特許文献２】特開２０１０−８３０７６号公報
【特許文献３】特願２０１５−１９０７２０号公報
【特許文献４】特開２０１６−１６８７４２号公報
【発明の概要】
【発明が解決しようとする課題】
【０００８】
解決しようとする問題点は、手指に筋力低下や麻痺等の機能障害がある場合に使用する筆記補助具は、筆記具や補助具を自力で把持する必要があり、直接把持できない場合は使用が困難となる点であり、使用時の運筆形態が自然な筆記感覚とは異質なものになっている点であり、また胴体幅の異なる汎用の筆記具が容易に使用できない点である。
【課題を解決するための手段】
【０００９】
本発明による筆記補助具は、二つの開口を有する中央近傍で下方に屈曲した指挿入部と、前記指挿入部の両長側面に対向して配置した一対の帯状の押し当て部と、前記指挿入部と前記押し当て部とを繋ぐ連結部とを有する筆記補助具であって、前記指挿入部は両長側面の各々に一対の凸状の突き当て部を有し、前記押し当て部は中央近傍で上方に屈曲し、前記押し当て部は前方の内側面に引掛け部を有し、前記押し当て部は先端近傍に支点部を有しているようにする。
【発明の効果】
【００１０】
本発明の筆記補助具によれば、手指に筋力低下や機能障害等があり補助具を把持できない場合でも、指挿入部が示指を固定し、中指に接する押し当て部が指挿入部の搖動を抑え、押し当て部の先端近傍にある支点部が補助具を支えるため、身体的負荷を掛けずに補助具をより自然な筆記感覚で用いることが可能になる。また指挿入部は両長側面の各々に一対の凸状の突き当て部を有し、押し当て部は中央近傍で上方に屈曲し、押し当て部は前方の内側面に引掛け部を有するため、胴体幅の異なる汎用の筆記具が容易に装着可能となる。
【図面の簡単な説明】
【００１１】
【図１】図１は本発明による筆記補助具の一例で、斜め上方から見た斜視図である。
【図２】図２は本発明による筆記補助具の一例で、平面図および側面図である。
【図３】図３は本発明による筆記補助具の一例で、筆記具を装着した様子を示す説明図である。平面図は補助具の右側に筆記具を装着した様子を示し、側面図は補助具の左側に筆記具を装着した様子を示す。
【図４】図４は本発明による筆記補助具の一例で、使用方法を示す説明図である。
【図５】図５は本発明による筆記補助具の別の例で、平面図および側面図である。平面図には補助具の右側に筆記具を装着した様子を示す。
【発明を実施するための形態】
【００１２】
本発明は、手指に筋力低下や麻痺等の機能障害のある人が筆記具を用いて手書きするための筆記補助具に関し、補助具を示指に固定する指挿入部と、指挿入部の搖動を抑えるための押し当て部と、補助具を支える支点部とを有するようにして、手指の把持力が極めて低い場合にも身体的負荷が少なく、より自然な筆記感覚で使用できるようにし、また指挿入部は両長側面の各々に一対の凸状の突き当て部を有し、押し当て部は中央近傍で上方に屈曲し、押し当て部は前方の内側面に引掛け部を有するようにして、胴体幅の異なる汎用の筆記具が容易に装着できるようにした。以下、実施例を挙げ図面を参照して説明する。
【実施例１】
【００１３】
図１は本発明による筆記補助具の一例で、斜め上方から見た斜視図であり、図２は本発明による筆記補助具の一例で、平面図および側面図である。１０は指挿入部、１１は第二支持部、１２は関節支持部、１３は第一支持部、１４は突き当て部、１５は連結部、２０は押し当て部、２１は引掛け部、２２は支点部である。
【００１４】
指挿入部１０は、中央近傍で下方に屈曲し、手指を挿入する二つの開口を有する。ここで指挿入部１０は第一支持部１３、関節支持部１２、第二支持部１１を備え、示指と補助具とを固定し、筋力低下や麻痺等の機能障害のある手指に負担を掛けずに装着するためのものである。筋力低下や機能障害がある場合、手指は各関節（ＭＰ関節、ＰＩＰ関節、ＤＩＰ関節）で各々内側に曲がり指全体が弧を描く状態になる。従って手指が弧を描いた状態でも、示指の挿入、取り外しを容易にするため、指挿入部１０の外形は、中央近傍で下方に屈曲する形状が好ましい。
【００１５】
指挿入部１０の材料としては運筆時の応力に耐える程度の強度を保持し、軽量であれば特に限定されない。樹脂、金属、ゴム、紙、セラミック等が使用可能である。
【００１６】
一対の突き当て部１４は、筆記具を挟持できるように指挿入部１０の両長側面の各々に間隔を開けて凸状に配置する。図１，図２に示す例では、突き当て部１４は指挿入部１０の両長側面の各々に連続した凸状の一対の膨らみとして形成している。本発明は、指挿入部１０が両長側面の各々に筆記具の胴体幅より広い間隔で一対の突き当て部１４を有し、指挿入部１０が両長側面に対向した一対の押し当て部２０を有し、押し当て部２０が中央近傍で上方に屈曲し、押し当て部２０が前方の内側面に筆記具を固定する引掛け部２１を有することにより、胴体幅の異なる汎用の筆記具が容易に装着可能になることを見出したことによる。
【００１７】
帯状の押し当て部２０の形状は、図２に示すように中央近傍で上方に屈曲していることが好ましい。これにより筆記具を補助具に挿入し易くなる。中央近傍で下方に屈曲した指挿入部１０と、中央近傍で上方に屈曲した押し当て部２０とが筆記具を挿入する大きな開口を形成するためである。
【００１８】
図３は本発明による筆記補助具の一例で、筆記具を装着した様子を示した説明図である。平面図は補助具の右側に筆記具を装着（左利きの場合）した様子を示し、側面図は補助具の左側に筆記具を装着（右利きの場合）した様子を示す。帯状の押し当て部２０を長軸方向に長くすることにより、胴体幅の異なる筆記具を装着する場合の押し当て部２０の変形を極力抑えることが可能になる。従って、突き押し部２０は、指挿入部１０を取り囲むように配置し、かつ中央近傍で上方に屈曲することが好ましい。連結部１５を設けることにより、長軸方向に長くした押し当て部２０の両端と指挿入部１０の短側面とを繋ぐことができる。
【００１９】
押し当て部２０は前方の内側面に引掛け部２１を形成している。引掛け部２１は筆記具２の先端近傍に接して、筆記具２が補助具１から離れることを防ぐものである。引掛け部２１の形状は、筆記具２に接し留めることができるものであれば限定されない。押し当て部２０の材料としては、筆記具の装着時の変形応力に耐えるものが好ましい。樹脂、金属、ゴム等が使用可能である。連結部１５の材料としては、使用に耐えるものであれば特に限定されない。
【００２０】
本発明による押し当て部２０は、胴体幅の異なる筆記具を装着可能にするだけでなく、運筆時の補助具の安定化にも寄与する。各支持部（１１，１２，１３）の作用により、指挿入部１０は示指に固定され、中央近傍で上方に屈曲した押し当て部２０に沿って、隣接する中指が押し当て部２０を押圧する。このため補助具の搖動が抑えられ、補助具と手指との固定がより安定になる。従って自力で把持ができない場合でも自然な筆記感覚で安定した運筆が可能になる。
【００２１】
支点部２２は運筆時に筆記面に接し、補助具を支えるものである。支点部２２の形状は限定されない。支点部２２は図１、図２に例示するように押し当て部２０の一部を兼用することもできる。支点部２２は筆記面との接触面積が小さく、摩擦抵抗の小さいものが好ましい。これは運筆時に支点部２２が筆記面に接し筆記面と手指との距離を維持し、自由な筆記操作を可能にするためである。支点部２２の材料としては樹脂、金属、ゴム、紙、セラミック等が使用できる。
【００２２】
筆記時に自助具を自由に操作できるようにするため、支点部２２は手指装着時に示指の先端より突出していることが好ましい。運筆時に支点部２２は筆記面に接し、接地点を支えとして手首の微小な回転により、筆記具の先端を上下して運筆する。これにより運筆時の手の負荷は大幅に低減し、自力で把持できない場合でも安定した自然な筆記が可能になる。
【００２３】
図４は本発明による筆記補助具の一例で、示指に装着し運筆する様子を示した説明図である。示指が補助具１の指挿入部１０に挿入され、中指が押し当て部２０に接して補助具１の搖動を抑え安定化している。筆記具２は指挿入部１０と押し当て部２０により挟持される。運筆は、示指の先端より突出した支点部２２を、筆記面に当ててスライドするとともに、支点部２２を支点として、手首を僅かに回転して筆記具先端を上下することにより行う。運筆時に補助具を握るための把持力は必要なく、手首の水平移動と僅かな回転により自由で安定した運筆が可能になる。
【実施例２】
【００２４】
図５は本発明による筆記補助具の別の例で、平面図および側面図である。平面図には補助具の右側に筆記具を装着した様子を示す。１０は指挿入部、１４は突き当て部、１５は連結部、２０は押し当て部、２１は引掛け部、２２は支点部である。図５に示す例では、一対の突き当て部１４は明確な凸状の突起で、筆記具２の胴体幅より広い間隔で指挿入部１０の両長側面に各々配置されている。また実施例１と同様に、中央近傍で上方に屈曲した押し当て部２０と、下方に屈曲した指挿入部１０とにより、筆記具を挿入し易くする大きな開口が形成される様子を示している。
【００２５】
実施例１と同様に、補助具１を示指に固定するための支持部（１１，１２，１３）を有する指挿入部１０と、指挿入部１０の搖動を抑えるための押し当て部２０と、支点部２２とを設けることにより、手指の把持力が極めて低い場合にも身体的負荷が少なく、より自然な筆記感覚で使用できるようになる。また指挿入部１０が筆記具２の胴体幅より広い間隔の一対の突き当て部１４を有し、指挿入部１０が両長側面に対向した押し当て部２０を有し、押し当て部２０が中央近傍で上方に凸状に屈曲し、押し当て部２０が前方の内側面に筆記具を固定する引掛け部２１を有するため、胴体幅の異なる汎用の筆記具が容易に装着可能になる。
【産業上の利用可能性】
【００２６】
本発明によると、手指に筋力低下や麻痺等の機能障害を伴う人が、筆記具や補助具を自力で把持できない場合でも、自然な筆記感覚で安定した運筆が可能になるとともに、胴体幅の異なる汎用の筆記具を容易に装着することができる筆記補助具となる。
【符号の説明】
【００２７】
１    補助具本体
２    筆記具
１０  指挿入部
１１  第二支持部
１２  関節支持部
１３  第一支持部
１４  突き当て部
１５  連結部
２０  押し当て部
２１  引掛け部
２２  支点部
【図１】
2018176479.tif 000003
【図２】
2018176479.tif 000004
【図３】
2018176479.tif 000005
【図４】
2018176479.tif 000006
【図５】
2018176479.tif 000007